(57)【要約】【課題】フラットケーブルを筐体の側壁側から移動体側へ湾曲させた状態で配置する構成において、フラットケーブルの湾曲部の下端部を筐体の底壁に接触しにくくする画像処理装置を提供する。【解決手段】画像処理装置は、読取ヘッド５に接続された読取ヘッド側端子と、後側壁３１Ｂに固定された被固定部６Ｃとを有するＦＦＣ６を備える。後側壁３１Ｂは支持部７を有する。ＦＦＣ６は読取ヘッド側端子と被固定部６Ｃとを繋ぐ中間部６Ｄを有する。中間部６Ｄは、被固定部６Ｃから延出し、後側壁３１Ｂの支持部７に支持される被ガイド部６Ｅと、被ガイド部６Ｅから延出し、湾曲する湾曲部６Ｆとを有する。支持部７は、上支持部と、上支持部よりも下方であって上支持部よりも前側壁３１Ｃ側に位置する下支持部とを含む第１傾斜面７１を有する。【選択図】図７
2019134255.tif 000002
【特許請求の範囲】
【請求項１】
第１方向に往復移動する移動体と、
前記第１方向と直交する第２方向において前記移動体の一側に配置された第１側壁と、前記移動体を挟んで前記第１側壁とは反対側に配置された第２側壁と、前記第１側壁及び前記第２側壁を繋ぐ底壁と、を有する筐体と、
前記移動体に接続された被接続部と前記第１側壁に固定された被固定部とを有するフラットケーブルと、を備え、
前記第１側壁は、前記フラットケーブルの前記被固定部が固定される固定部と前記フラットケーブルをガイドするガイド部とを有する支持部を有し、
前記フラットケーブルは、前記被接続部と前記被固定部とを繋ぐ中間部を有し、
前記中間部は、
前記被固定部から延出し、前記第１側壁の前記ガイド部にガイドされる被ガイド部と、
前記被ガイド部から延出し、湾曲する湾曲部と、を有し、
前記支持部は、前記フラットケーブルを鉛直方向に対して傾斜させた姿勢で支持する傾斜支持部を有し、
前記傾斜支持部は、
上支持部と、
前記上支持部よりも下方であって前記上支持部よりも前記第２方向における前記第２側壁側に位置する下支持部と、を有する、
ことを特徴とする画像処理装置。
【請求項２】
前記傾斜支持部は、前記鉛直方向に対して傾斜する連続した連続面であり、
前記上支持部及び前記下支持部のそれぞれは、前記連続面の一部である、
ことを特徴とする請求項１に記載の画像処理装置。
【請求項３】
前記移動体は、前記フラットケーブルの前記湾曲部の長さが最大となる第１位置と、前記フラットケーブルの前記湾曲部の長さが最小となる第２位置との間を往復移動し、
前記支持部の前記傾斜支持部は、前記移動体が前記第１位置にあるときに、前記フラットケーブルを支持する位置に配置された、
ことを特徴とする請求項１又は請求項２に記載の画像処理装置。
【請求項４】
前記固定部及び前記ガイド部の内、少なくとも前記固定部は、前記傾斜支持部を有する、
ことを特徴とする請求項１から請求項３の何れか一項に記載の画像処理装置。
【請求項５】
前記ガイド部は、前記傾斜支持部を有し、
前記ガイド部の前記傾斜支持部は、第１傾斜支持部と前記第１傾斜支持部よりも前記固定部から遠い第２傾斜支持部とを有し、
前記第１方向から見たときに、
前記第２傾斜支持部の前記上支持部と前記第２傾斜支持部の前記下支持部の両方に接する仮想接平面の前記鉛直方向に対する傾斜は、前記第１傾斜支持部の前記上支持部と前記第１傾斜支持部の前記下支持部の両方に接する仮想接平面の前記鉛直方向に対する傾斜よりも小さい、
ことを特徴とする請求項１から請求項４の何れか一項に記載の画像処理装置。
【請求項６】
前記支持部は、前記底壁と前記下支持部とを繋ぐ傾斜面であって、前記下方に向かうに従って前記第２側壁に近づくように傾斜し、前記フラットケーブルを支持する傾斜面を更に有し、
前記第１方向からみたときに、
前記傾斜面は、前記第１傾斜支持部及び前記第２傾斜支持部の両方に接する仮想接平面よりも、水平方向に対する傾斜が小さな傾斜面である、
ことを特徴とする請求項１から請求項５の何れか一項に記載の画像処理装置。
【請求項７】
前記フラットケーブルは、前記被接続部と前記湾曲部と繋ぐ折曲部を有することを特徴とする請求項１から請求項６の何れか一項に記載の画像処理装置。
【請求項８】
前記第１側壁は、前記第１側壁の厚みを均等とする凹部を有することを特徴とする請求項１から請求項７の何れか一項に記載の画像処理装置。
【発明の詳細な説明】
【技術分野】
【０００１】
本発明は、画像処理装置に関する。
【背景技術】
【０００２】
従来から画像読取装置、画像形成装置、複写機等の画像処理装置において、原稿を読み取る読取ヘッドやインクを吐出する吐出ヘッドのように筐体内を移動する移動体が設けられている。このような移動体には、通常、制御部との間で信号の授受を行うためのフラットケーブルが接続されている。
【０００３】
フラットケーブルは移動体の移動とともに移動及び変形するため、筐体内でどのような配置で這い回すかによって様々な利点と課題がある。例えば、筐体の上下方向の厚みを薄くするためにフラットケーブルを筐体の側壁側から移動体側へ湾曲させた状態で配置する手法がある（特許文献１参照）。
【０００４】
特許文献１に開示される画像読取装置においては、筐体は移動体よりも移動体の移動方向と直交する方向の一側に配置される第１側壁を有している。また、フラットケーブルは、移動体に接続される一端部と、一端部と他端部との間に位置し第１側壁に固定される被固定部と、一端部と被固定部との間に形成される湾曲部とを有している。
【先行技術文献】
【特許文献】
【０００５】
【特許文献１】特開２００３−３０７７８９号公報
【発明の概要】
【発明が解決しようとする課題】
【０００６】
しかしながら、特許文献１の構成によれば、移動体の位置によっては湾曲部が自重で撓み、湾曲部の下端部が筐体の底壁に接触した状態となる場合がある。この状態で移動体が移動すると、例えば、湾曲部の下端部と筐体の底壁との少なくとも一方から摩耗粉が発生し、筐体内が汚れるおそれがある。また、例えば、この状態で移動体が移動すると、湾曲部が振動して異音が発生したり、湾曲部が座屈したりするおそれがある。
【０００７】
本発明は、フラットケーブルを筐体の側壁側から移動体側へ湾曲させた状態で配置する構成において、フラットケーブルの湾曲部の下端部を筐体の底壁に接触しにくくする画像処理装置を提供することを目的とする。
【課題を解決するための手段】
【０００８】
本発明の画像処理装置は、第１方向に往復移動する移動体と、前記第１方向と直交する第２方向において前記移動体の一側に配置された第１側壁と、前記移動体を挟んで前記第１側壁とは反対側に配置された第２側壁と、前記第１側壁及び前記第２側壁を繋ぐ底壁と、を有する筐体と、前記移動体に接続された被接続部と前記第１側壁に固定された被固定部とを有するフラットケーブルと、を備え、前記第１側壁は、前記フラットケーブルの前記被固定部が固定される固定部と前記フラットケーブルをガイドするガイド部とを有する支持部を有し、前記フラットケーブルは、前記被接続部と前記被固定部とを繋ぐ中間部を有し、前記中間部は、前記被固定部から延出し、前記第１側壁の前記ガイド部にガイドされる被ガイド部と、前記被ガイド部から延出し、湾曲する湾曲部と、を有し、前記支持部は、前記フラットケーブルを鉛直方向に対して傾斜させた姿勢で支持する傾斜支持部を有し、前記傾斜支持部は、上支持部と、前記上支持部よりも下方であって前記上支持部よりも前記第２方向における前記第２側壁側に位置する下支持部と、を有する、ことを特徴とする。
【０００９】
上記の構成によれば、上支持部及び下支持部によって、フラットケーブルの被ガイド部は、その下端部が上端部よりも第２側壁側に位置する状態で支持される。
【発明の効果】
【００１０】
本発明によれば、フラットケーブルを筐体の第１側壁側から移動体側へ湾曲させた状態で配置する構成において、フラットケーブルの被ガイド部の下端部が上端部よりも第２側壁側に位置する状態で支持されることによって被ガイド部に続く湾曲部が持ち上げられるため、湾曲部の下端部は底壁に接触しにくくなる。その結果、移動体が移動した場合に湾曲部の下端部と底壁とが接触することによって生じる摩耗粉の発生、異音、湾曲部の座屈を抑制することができる。
【図面の簡単な説明】
【００１１】
【図１】一実施形態の画像処理装置の斜視図である。
【図２】一実施形態の画像読取部の斜視図である。
【図３】画像読取部の内部構成を示す斜視図である。
【図４】一実施形態の画像読取部の内部構成を示す平面図である。
【図５】一実施形態の画像読取部の内部構成を示す平面図である。
【図６】一実施形態の画像読取部の内部構成を示す平面図である。
【図７】図６の断面図であり、（ａ）はＢ−Ｂ断面図、（ｂ）はＣ−Ｃ断面図である。
【図８】変形例１の後側壁周辺の側断面図である。
【図９】変形例２の後側壁周辺の側断面図である。
【発明を実施するための形態】
【００１２】
[画像処理装置の全体構成]
図１に示す画像処理装置１は、本発明に係る画像処理装置１の一実施形態であり、画像読取機能、プリント機能及びコピー機能等の画像形成機能、ならびにファクシミリ送受信機能等を備えた複合機として構成されている。以下の説明においては、図１に示すように、操作パネル２２が設けられた側を画像処理装置１の前側と規定し、画像処理装置１を操作パネル２２に向かってみたときに左手にくる側を画像処理装置１の左側と規定して、前後、左右、及び上下の方向を表す。左右方向は第１方向の一例であり、前後方向は第２方向の一例である。
【００１３】
画像処理装置１は、本体部２と、本体部２の上方に配置される画像読取部３と、画像読取部３の上方に配置される自動原稿搬送部４とを備えている。本体部２はシートに画像を形成する画像形成部を収容している。本体部２の下部にはシートを収容するシートカセット２１が設けられている。本体部２の前側上部には、画像処理装置１に対する入力操作を行う操作部、及び画像処理装置１の動作状態等を表示する表示部を備えた操作パネル２２が設けられている。
【００１４】
自動原稿搬送部４は、自動原稿搬送部４に載置された複数枚の原稿を１枚ずつ分離して画像読取部３へ順次搬送する、所謂ＡＤＦ（Ａｕｔｏｍａｔｉｃ  Ｄｏｃｕｍｅｎｔ  Ｆｅｅｄｅｒ）装置である。画像読取部３は、フラットベッド型イメージスキャナとしての機能を有している。また、画像読取部３は、自動原稿搬送部４と協働することによりＡＤＦ型イメージスキャナとして機能する。
【００１５】
[画像読取部の構成]
図２に示すように、画像読取部３は、筐体３１と、筐体３１の上部を覆うカバー部材３２とを有している。カバー部材３２にはプラテンガラス３３が取り付けられている。プラテンガラス３３の上面は、第１面３３Ａと第２面３３Ｂとに区画されている。
【００１６】
第１面３３Ａは、画像読取部３がフラットベッド型イメージスキャナとして利用される際に原稿が載置される原稿載置面である。第２面３３Ｂは、画像読取部３がＡＤＦ型イメージスキャナとして利用される際に、自動原稿搬送部４によって搬送される原稿が接触しつつ通過する部分である。なお、本実施形態においては、１枚のプラテンガラス３３を用いて第１面３３Ａと第２面３３Ｂとを構成しているが、第１面３３Ａと第２面３３Ｂとを別々のプラテンガラスによって構成することも可能である。
【００１７】
図３は画像読取部の内部構成を示す斜視図であり、図４から図６は画像読取部の内部構成を示す平面図である。図４は読取ヘッドが第２位置にある状態を示し、図５は読取ヘッドが第３位置にある状態を示し、図６は読取ヘッドが第１位置にある状態を示している。
【００１８】
図３に示すように、筐体３１は、底壁３１Ａと、第１側壁の一例としての後側壁３１Ｂと、第２側壁の一例としての前側壁３１Ｃと、左側壁３１Ｄと、右側壁３１Ｅとを有している。後側壁３１Ｂは底壁３１Ａの後端縁部から上方に突出し、前側壁３１Ｃは底壁３１Ａの前端縁部から上方に突出し、左側壁３１Ｄは底壁３１Ａの左端縁部から上方に突出し、右側壁３１Ｅは底壁３１Ａの左端縁部から上方に突出している。
【００１９】
画像読取部３は、読取ヘッド５、キャリッジ５０、走査機構５１、及びフラットケーブル（以降、ＦＦＣと記す）６を有している。読取ヘッド５及びキャリッジ５０は移動体の一例である。読取ヘッド５、キャリッジ５０、走査機構５１、及びＦＦＣ６は、筐体３１内に収容されている。筐体３１の後側壁３１Ｂと前側壁３１Ｃとの間にはガイドレール３１Ｆが形成されている。ガイドレール３１Ｆは、底壁３１Ａから上方に突出しており、筐体３１の左端部から右端部にわたって形成されている。
【００２０】
キャリッジ５０は、前後方向に沿って長尺に形成されており、前後方向において前側壁３１Ｃの近傍から後側壁３１Ｂの近傍までにわたって配置されている。キャリッジ５０は、ガイドレール３１Ｆに対して摺動可能に嵌合する溝部５０Ａを有している。キャリッジ５０は、溝部５０Ａがガイドレール３１Ｆに嵌合することで、ガイドレール３１Ｆに案内されながら左右方向へ往復移動可能となっている。キャリッジ５０は、ＦＦＣ６を保持する保持部５５を有している。保持部５５は、走査機構５１より後方のキャリッジ５０の左側部に形成されている。
【００２１】
図４から図６に示すように、読取ヘッド５は、前後方向に沿って長尺に形成されている。読取ヘッド５は、例えば密着イメージメンサ（Ｃｏｎｔａｃｔ  Ｉｍａｇｅ  Ｓｅｎｓｏｒ）にて構成されており、読取ヘッド５が有する複数の読取素子は前後方向に沿って配列されている。読取ヘッド５の後端部近傍の底面にはＦＦＣ６を接続するためのコネクタ５Ａが設けられている。
【００２２】
読取ヘッド５は、キャリッジ５０に装着されており、キャリッジ５０と一体的に第１位置（図６参照）と第２位置（図４参照）との間で左右方向へ往復移動可能に構成されている。読取ヘッド５の下方には底壁３１Ａ、読取ヘッド５の後方には後側壁３１Ｂ、読取ヘッド５の前方には前側壁３１Ｃが配置されている。
【００２３】
走査機構５１は、駆動プーリ５２、従動プーリ５３、及びタイミングベルト５４を有している。駆動プーリ５２は、筐体３１内の左端部においてガイドレール３１Ｆに近接して配置されている。従動プーリ５３は、筐体３１内の右端部においてガイドレール３１Ｆに近接して配置されている。タイミングベルト５４は、駆動プーリ５２と従動プーリ５３とに巻き掛けられた無端ベルトであり、ガイドレール３１Ｆに沿って左右方向に延びている。タイミングベルト５４のうち、前後方向においてガイドレール３１Ｆの近くに配置される部分は、キャリッジ５０に連結される連結部５４Ａを有している。
【００２４】
駆動プーリ５２は画像読取部３が備える駆動源により駆動され、正転方向と、逆転方向とに回転可能に構成されている。駆動プーリ５２が正転方向に回転すると、タイミングベルト５４の連結部５４Ａが左側から右側へ向かって移動する。これにより、キャリッジ５０及び読取ヘッド５も左側から右側へ向かって一体的に移動する。一方、駆動プーリ５２が逆転方向に回転すると、タイミングベルト５４の連結部５４Ａが右側から左側へ向かって移動する。これにより、キャリッジ５０及び読取ヘッド５も右側から左側へ向かって一体的に移動する。このように、読取ヘッド５は、駆動プーリ５２の正転方向及び逆転方向の回転により、筐体３１内を左右方向に往復移動可能となっている。
【００２５】
ＦＦＣ６は、幅方向に所定間隔で並んだ複数の導体を２枚の絶縁フィルム及び接着剤で挟むことにより一体成型されており、可撓性を有している。ＦＦＣ６は、長手方向の端部にそれぞれ読取ヘッド５のコネクタ５Ａに接続される被接続部の一例としての読取ヘッド側端子６Ａと、後側壁３１Ｂ付近に形成された開口部３１Ｇを通じて本体部２内に設けられた図示しない制御部に接続される制御部側端子とを有している。
【００２６】
ＦＦＣ６の読取ヘッド側端子６Ａの近傍部分は保持部５５で保持されている。ＦＦＣ６は、保持部５５の左側に配置される折曲部６Ｂを有する。折曲部６Ｂは、３箇所でそれぞれ９０°ずつ折り曲げられた部分である。折曲部６Ｂは、読取ヘッド側端子６Ａへ掛かる負荷を吸収し、読取ヘッド側端子６Ａが接続されるコネクタ５Ａへの負荷を軽減する。
【００２７】
ＦＦＣ６は、底壁３１Ａから離れた位置で後側壁３１Ｂに両面テープ等により固定された被固定部６Ｃを有する。被固定部６Ｃは、読取ヘッド５が第１位置にある状態（図６参照）において、ＦＦＣ６の後側壁３１Ｂに接触する領域に設けられる。つまり、被固定部６Ｃとして後側壁３１Ｂに固定される部分は後側壁３１Ｂに接触している領域全体であってもよいし、その領域の一部であってもよい。
【００２８】
ＦＦＣ６は、読取ヘッド側端子６Ａと被固定部６Ｃとを繋ぐ中間部６Ｄを有する。中間部６Ｄは、被固定部６Ｃから延出し、後側壁３１Ｂのガイド部７Ｂにガイドされる被ガイド部６Ｅと、被ガイド部６Ｅから延出し、前側壁３１Ｃ側へＵ字状に湾曲する湾曲部６Ｆとを有する。湾曲部６Ｆは、ＦＦＣ６が保持部５５と支持部７とに支持されることで形成される。湾曲部６Ｆの長さは、読取ヘッド５が第１位置にある場合に最大、第２位置にある場合に最小となる。湾曲部６Ｆの前後方向の長さは、図５に示した読取ヘッド５が第３位置にある場合に最大となる。
【００２９】
次に、後側壁３１Ｂの形態について説明する。後側壁３１Ｂは、前側壁３１Ｃ側にＦＦＣ６の被固定部６Ｃが固定される固定部７Ａと、ＦＦＣ６を切離可能にガイドするガイド部７Ｂとを有する支持部７を有する。そして、湾曲部６Ｆの前後方向に拡がろうとする応力によってＦＦＣ６の被ガイド部６Ｅはガイド部７Ｂに押し付けられる。
【００３０】
図７は図６の断面図であり、（ａ）はＢ−Ｂ断面図、（ｂ）はＣ−Ｃ断面図である。支持部７は、ＦＦＣ６を上下方向（鉛直方向）に対して傾斜させた姿勢で支持する傾斜支持部の一例としての第１傾斜面７１と、底壁３１Ａと下支持部７１Ｂとを繋ぐ傾斜面の一例としての第２傾斜面７２とを有する。
【００３１】
第１傾斜面７１は、前下方向へ傾斜する傾斜面である。第１傾斜面７１は、支持部７の左端部から右端部まで左右方向に延びて形成され、後側壁３１Ｂの上端部近傍から下端部近傍までＦＦＣ６の幅よりも長く上下方向に延びて形成されている。
【００３２】
ここで、第１傾斜面７１の上半分の領域を上支持部７１Ａ、下半分の領域を下支持部７１Ｂと称する。下支持部７１Ｂは上支持部７１Ａよりも下方であって上支持部７１Ａよりも前後方向における前側壁３１Ｃ側に位置するといえる。
【００３３】
また、ガイド部７Ｂの右半分の第１傾斜面７１を第１傾斜支持部７Ｃ（図７（ａ）参照）、ガイド部７Ｂの左半分の第１傾斜面７１を第２傾斜支持部７Ｄ（図７（ｂ）参照）と称する。そして、図７（ａ）を紙面に垂直な方向から見たときに、第１傾斜支持部７Ｃにおける上支持部７１Ａと下支持部７１Ｂの両方に接する仮想面を仮想接平面Ｐ１、図７（ｂ）を紙面に垂直な方向から見たときに、第２傾斜支持部７Ｄにおける上支持部７１Ａと下支持部７１Ｂの両方に接する仮想面を仮想接平面Ｐ２とする。また、図７（ａ）、（ｂ）の紙面に垂直であって、かつ図に示す上下方向に延在する面を鉛直面Ｖとする。
【００３４】
そうすると、仮想接平面Ｐ２の鉛直面Ｖに対する傾斜角βは、仮想接平面Ｐ１の鉛直面Ｖに対する傾斜角αよりも小さくなっている。つまり、ガイド部７Ｂにおける第１傾斜面７１は、左方へ向かうにしたがって鉛直面Ｖに対する傾斜が小さくなる形状、すなわち、左方へ向かうにしたがって徐々に鉛直面Ｖに近づく形状となっている。また、図示しない図６のＡ−Ａ断面における第１傾斜面７１の傾斜角は、図７（ａ）に示した第１傾斜面７１の傾斜角αと同じであるか、それよりも鉛直面Ｖに対して大きくなっている。
【００３５】
このような支持部７によれば、湾曲部６Ｆの拡がる方向の応力によってＦＦＣ６被ガイド部６Ｅが第１傾斜面７１に押し付けられるため、ＦＦＣ６の被ガイド部６Ｅは、その下端部が上端部よりも前方に位置する状態で第１傾斜面７１に支持される。これにより、被ガイド部６Ｅに続く湾曲部６Ｆが持ち上げられ、湾曲部６Ｆの下端部は底壁３１Ａに接触しにくくなる。その結果、読取ヘッド５が移動した場合に湾曲部６Ｆの下端部と底壁３１Ａとが接触することによって生じる摩耗粉の発生を抑制することができる。
【００３６】
もし、摩耗粉が発生すると、摩耗粉が読取ヘッドに付着することによって、読み取った画像の品質が低下するおそれがある。また、摩耗粉が走査機構５１に付着することによって、異音や動作不良が生じるおそれもある。
【００３７】
また、湾曲部６Ｆの下端部が底壁３１Ａに接触しにくくなることにより、読取ヘッド５が移動した場合に湾曲部６Ｆの下端部と底壁３１Ａとが接触することによって生じる異音や湾曲部６Ｆの座屈を抑制することもできる。
【００３８】
また、ガイド部７Ｂにおける第１傾斜面７１が左方へ向かうにしたがって徐々に鉛直面Ｖに近づく形状となっているため、読取ヘッド５が右方向に移動することによってＦＦＣ６のほとんどがガイド部７Ｂから離間している状態（図６参照）では、長い湾曲部６Ｆが形成され、湾曲部６Ｆは鉛直面Ｖに対する傾斜角αの大きな第１傾斜面７１によって大きな力で持ち上げられる。
【００３９】
一方、読取ヘッド５が左方向に移動することによってＦＦＣ６のほとんどがガイド部７Ｂに接触している状態（図４参照）では、短い湾曲部６Ｆが形成され、湾曲部６Ｆは鉛直面Ｖに対する傾斜角βの小さな第１傾斜面７１によって小さな力で持ち上げられる。このように、形成される湾曲部６Ｆの長さに応じて第１傾斜面７１が湾曲部６Ｆを持ち上げる力を適切にし、湾曲部６Ｆが持ち上げられる量を一定にすることができる。
【００４０】
なお、傾斜支持部は、第１傾斜面７１に限定されることはなく、鉛直方向に対して傾斜する連続した連続面であればよい。この場合、上支持部及び下支持部は連続面の一部である。ここでいう連続面とは、例えば、単一の平面、又は滑らかに繋がった曲面を指す。
【００４１】
なお、傾斜支持部としての第１傾斜面７１は、少なくとも固定部７Ａに形成されていることが好ましい。ガイド部７Ｂよりも固定部７Ａに第１傾斜面７１を形成することにより、湾曲部６Ｆを持ち上げる効果が大きくなる。
【００４２】
一方、第２傾斜面７２は、下方に向かうにしたがって前側壁３１Ｃに近づくように傾斜し、ＦＦＣ６を支持する傾斜面である。そして、図７（ａ）及び（ｂ）を紙面に垂直な方向から見たときに、第２傾斜面７２は、両仮想接平面Ｐ１、Ｐ２よりも水平方向に対する傾斜が小さな傾斜面である。つまり、第２傾斜面７２は、第１傾斜面７１より緩やかであって水平面までの範囲で前下方向へ傾斜する傾斜面である。第２傾斜面７２は、第１傾斜面７１の下端部に沿って左右方向に延びて形成され、第１傾斜面７１の下端部から底壁３１Ａまで上下方向に延びて形成されている。
【００４３】
このように、第２傾斜面７２が第１傾斜面７１よりも水平方向に対する傾斜が小さな傾斜面であることにより、図７に示すように第１傾斜面７１と第２傾斜面７２は、くの字型に屈曲して配置される。よって、第１傾斜面７１に押し付けられた状態で支持されているＦＦＣ６の被ガイド部６Ｅが下方にずれ落ちようとした場合でも、ＦＦＣ６の下端部が第２傾斜面７２に当接して支持される。したがって、ＦＦＣ６の下端部は底壁３１Ａに接触しにくくなる。
【００４４】
また、後側壁３１Ｂは、後側壁３１Ｂの前後方向の厚みを均等とする凹部３１Ｈを有する。凹部３１Ｈは、筐体３１の下面側に開口して形成される。凹部３１Ｈは、いわゆる肉盗みである。ここでいう、後側壁３１Ｂの前後方向の厚みを均等とするとは、完全に均等だけを意味ものではなく、肉盗みの効果を達成し得る合理的な範囲内でのほぼ均等を含むものである。このような凹部３１Ｈにより、支持部７を設けた場合に生じる後側壁３１Ｂのヒケを軽減することができる。その結果、支持部７を設計された通りの形状に作製することができる。なお、凹部３１Ｈの開口の向きには特に限定はなく、成形時の金型の抜き方向に合わせることができる。
【００４５】
[変形例１]
上記の実施形態では、上支持部及び下支持部として第１傾斜面７１を例に説明したが、図８に示すように、第１傾斜面７１は左右方向に延びる溝部７１Ｃを有していてもよい。図８の断面位置は図７（ａ）と同様の位置である。これにより、第１傾斜面７１は、溝部７１Ｃの上方に位置する上側傾斜面７１Ｄと、溝部７１Ｃの下方に位置する下側傾斜面７１Ｅとに分かれる。上側傾斜面７１Ｄは上支持部の一例であり、下側傾斜面７１Ｅは下支持部の一例である。
【００４６】
[変形例２]
第１傾斜面７１及び第２傾斜面７２の替わりに、図９に示すように、２段の階段状に形成された第１段部７３及び第２段部７４を設けてもよい。図９の断面位置は図７（ａ）と同様の位置である。これにより、支持部７は、後側壁の上端部から下方へ延びる鉛直面７５と、鉛直面７５の下端部から前方へ延びて下方へ屈曲する第１段部７３と、第１段部７３の下端部から前方へ延び下方へ屈曲して底壁３１Ａに繋がる第２段部７４とで構成される。
【００４７】
この構成により、ＦＦＣ６の被ガイド部６Ｅの上端部が鉛直面７５に当接し、ＦＦＣ６の被ガイド部６Ｅの上端部と下端部との間の中間部が第１段部７３の先端部７３Ａに当接し、ＦＦＣ６の被ガイド部６Ｅの下端部が第２段部７４の上面７４Ａに当接する。よって、ＦＦＣ６の被ガイド部６Ｅは、上記の実施形態と同様に、その下端部が上端部よりも前方に位置する状態で支持部７に支持される。この場合、鉛直面７５におけるＦＦＣ６の上端部が当接する部分が上支持部、第１段部７３の先端部７３Ａが下支持部、第２段部７４の上面７４Ａが傾斜面の一例である。
【００４８】
なお、上記の実施形態、変形例１及び変形例２の構成要素は、変更可能な範囲で適宜組み合わせることができる。
【００４９】
また、上記の実施形態では画像処理装置１として複合機を例に説明したが、画像処理装置としては、スキャナ、インクジェットプリンタ、複写機等であってもよい。そして、スキャナに適用した場合の移動体は原稿を読み取る読取ヘッド及びキャリッジであり、インクジェットプリンタに適用した場合の移動体はインクを吐出する吐出ヘッド及びキャリッジである。
【００５０】
［実施形態の効果］
上記の実施形態、変形例１又は変形例２の画像処理装置１は、第１方向に往復移動する読取ヘッド５を備える。また画像処理装置１は、第１方向と直交する第２方向において読取ヘッド５の一側に配置された後側壁３１Ｂと、読取ヘッド５を挟んで後側壁３１Ｂとは反対側に配置された前側壁３１Ｃと、後側壁３１Ｂ及び前側壁３１Ｃを繋ぐ底壁３１Ａと、を有する筐体を備える。また画像処理装置１は、読取ヘッド５に接続された読取ヘッド側端子６Ａと後側壁３１Ｂに固定された被固定部６Ｃとを有するＦＦＣ６を備える。そして、後側壁３１Ｂは、ＦＦＣ６の被固定部６Ｃが固定される固定部７ＡとＦＦＣ６をガイドするガイド部７Ｂとを有する支持部７を有する。ＦＦＣ６は、読取ヘッド側端子６Ａと被固定部６Ｃとを繋ぐ中間部６Ｄを有する。中間部６Ｄは、被固定部６Ｃから延出し、後側壁３１Ｂのガイド部７Ｂにガイドされる被ガイド部６Ｅと被ガイド部６Ｅから延出し、湾曲する湾曲部６Ｆと、を有する。支持部７は、ＦＦＣ６を鉛直方向に対して傾斜させた姿勢で支持する傾斜支持部（第１傾斜面７１）を有する。傾斜支持部は、上支持部（上支持部７１Ａ、上側傾斜面７１Ｄ、鉛直面７５）と、上支持部よりも下方であって上支持部よりも第２方向における前側壁３１Ｃ側に位置する下支持部（下支持部７１Ｂ、下側傾斜面７１Ｅ、先端部７３Ａ）と、を有する。
【００５１】
この構成によれば、上支持部及び下支持部によって、ＦＦＣ６の被ガイド部６Ｅは、その下端部が上端部よりも前側壁３１Ｃ側に位置する状態で支持される。これにより、被ガイド部６Ｅに続く湾曲部６Ｆが持ち上げられ、湾曲部６Ｆの下端部は底壁３１Ａに接触しにくくなる。その結果、読取ヘッド５が移動した場合に湾曲部６Ｆの下端部と底壁３１Ａとが接触することによって生じる摩耗粉の発生を抑制することができる。また、読取ヘッド５が移動した場合に湾曲部６Ｆの下端部と底壁３１Ａとが接触することによって生じる異音や湾曲部６Ｆの座屈を抑制することができる。
【００５２】
上記の実施形態、変形例１又は変形例２の画像処理装置１によれば、傾斜支持部は、鉛直方向に対して傾斜する連続した連続面であり、上支持部及び下支持部のそれぞれは、連続面の一部である。
【００５３】
このように、傾斜支持部は連続面であれば様々な形状を採用することができる。
【００５４】
上記の実施形態、変形例１又は変形例２の画像処理装置１によれば、読取ヘッド５は、ＦＦＣ６の湾曲部６Ｆの長さが最大となる第１位置と、ＦＦＣ６の湾曲部６Ｆの長さが最小となる第２位置との間を往復移動し、支持部７の傾斜支持部は、読取ヘッド５が第１位置にあるときに、ＦＦＣ６を支持する位置に配置される。
【００５５】
この構成によれば、湾曲部６Ｆの長さが最大となる場合に傾斜支持部によってＦＦＣ６を持ち上げることができる。
【００５６】
上記の実施形態、変形例１又は変形例２の画像処理装置１によれば、固定部７Ａ及びガイド部７Ｂの内、少なくとも固定部７Ａは、傾斜支持部を有する。
【００５７】
この構成によれば、ガイド部７Ｂよりも固定部７Ａに第１傾斜面７１を形成することにより、湾曲部６Ｆを持ち上げる効果が大きくなる。
【００５８】
上記の実施形態の画像処理装置１によれば、ガイド部７Ｂは、傾斜支持部を有し、ガイド部７Ｂの傾斜支持部は、第１傾斜支持部７Ｃと第１傾斜支持部７Ｃよりも固定部７Ａから遠い第２傾斜支持部７Ｄとを有し、第１方向から見たときに、第２傾斜支持部７Ｄの上支持部７１Ａと第２傾斜支持部７Ｄの下支持部７１Ｂの両方に接する仮想接平面Ｐ２の鉛直面Ｖに対する傾斜角βは、第１傾斜支持部７Ｃの上支持部７１Ａと第１傾斜支持部７Ｃの下支持部７１Ｂの両方に接する仮想接平面Ｐ１の鉛直面Ｖに対する傾斜角αよりも小さい。
【００５９】
この構成によれば、ガイド部７Ｂの傾斜支持部が、読取ヘッド５から湾曲部６Ｆへ向かう第１方向に沿って徐々に鉛直方向に近づいている。よって、読取ヘッド５が湾曲部６Ｆから離れる方向に移動することによってＦＦＣ６のほとんどがガイド部７Ｂから離間している状態では、長い湾曲部６Ｆが形成され、湾曲部６Ｆは鉛直面Ｖに対する傾斜角αの大きな第１傾斜面７１によって大きな力で持ち上げられる。一方、読取ヘッド５が湾曲部６Ｆに近づく方向に移動することによってＦＦＣ６のほとんどがガイド部７Ｂに接触している状態では、短い湾曲部６Ｆが形成され、湾曲部６Ｆは鉛直面Ｖに対する傾斜角βの小さな第１傾斜面７１によって小さな力で持ち上げられる。このように、形成される湾曲部６Ｆの長さに応じて第１傾斜面７１が湾曲部６Ｆを持ち上げる力を適切にし、湾曲部６Ｆが持ち上げられる量を一定にすることができる。
【００６０】
上記の実施形態の画像処理装置１によれば、支持部は、底壁３１Ａと下支持部７１Ｂとを繋ぐ傾斜面７２であって、下方に向かうに従って前側壁３１Ｃに近づくように傾斜し、ＦＦＣ６を支持する傾斜面７２を更に有し、第１方向からみたときに、傾斜面７２は、上支持部７１Ａ及び下支持部７１Ｂの両方に接する仮想接平面よりも、水平方向に対する傾斜が小さな傾斜面である。
【００６１】
この構成によれば、上支持部７１Ａ及び下支持部７１Ｂで支持されたＦＦＣ６が下方にずれ落ちようとした場合でも、ＦＦＣ６の下端部が支持面に当接するため、ＦＦＣ６の下端部が底壁３１Ａに接触しにくくなる。
【００６２】
上記の実施形態の画像処理装置１によれば、ＦＦＣ６は、読取ヘッド側端子６Ａと湾曲部６Ｆと繋ぐ折曲部６Ｂを有する。
【００６３】
この構成によれば、湾曲部６Ｆから読取ヘッド側端子６Ａへ掛かる負荷を折曲部６Ｂで吸収することができ、ＦＦＣ６の読取ヘッド側端子６Ａが接続されるコネクタへの負荷を軽減することができる。
【００６４】
上記の実施形態の画像処理装置１によれば、後側壁３１Ｂは、後側壁３１Ｂの厚みを均等とする凹部３１Ｈを有する。
【００６５】
この構成によれば、凹部３１Ｈは、いわゆる肉盗みである。したがって、支持部７を設けた場合に生じる後側壁３１Ｂのヒケを軽減することができる。
【符号の説明】
【００６６】
１          画像処理装置
５          読取ヘッド（移動体）
６          ＦＦＣ（フラットケーブル）
６Ａ        読取ヘッド側端子（被接続部）
６Ｂ        折曲部
６Ｃ        被固定部
６Ｄ        中間部
６Ｅ        被ガイド部
６Ｆ        湾曲部
７          支持部
７Ａ        固定部
７Ｂ        ガイド部
７Ｃ        第１傾斜支持部
７Ｄ        第２傾斜支持部
３１        筐体
３１Ａ      底壁
３１Ｂ      後側壁（第１側壁）
３１Ｃ      前側壁（第２側壁）
３１Ｈ      凹部
５０        キャリッジ（移動体）
７１        第１傾斜面（傾斜支持部）
７１Ａ      上支持部
７１Ｂ      下支持部
７１Ｄ      上側傾斜面（上支持部）
７１Ｅ      下側傾斜面（下支持部）
７２        第２傾斜面（傾斜面）
７３Ａ      先端部（下支持部）
７４Ａ      上面（傾斜面）
７５        鉛直面（上支持部）
Ｐ１        仮想接平面
Ｐ２        仮想接平面
【図１】
2019134255.tif 000003
【図２】
2019134255.tif 000004
【図３】
2019134255.tif 000005
【図４】
2019134255.tif 000006
【図５】
2019134255.tif 000007
【図６】
2019134255.tif 000008
【図７】
2019134255.tif 000009
【図８】
2019134255.tif 000010
【図９】
2019134255.tif 000011